(57)【特許請求の範囲】
【請求項１】
建物外壁部分に上下左右方向に隣接配置されるパネルを、該パネルの隅部同士が突き合わされるコーナー交点部に配置されるパネル支持装置によって支持するとともに、前記パネル支持装置は、上下方向に隣接するパネル支持装置同士を連結する吊りロッド及び水平方向に隣接するパネル支持装置同士を連結するタイロッドにより相互に連結されたカーテンウォールにおいて、
前記ロッドの端部に、ロッド側の面にパネル面に沿う方向に沿って曲面を形成した抜止め部材を設け、
前記パネル支持装置は、室外側のパネル支持部と、室内側のロッド連結部とが結合部によって一体的に接続された部材とされ、前記ロッド連結部に対して、上部、下部及び左右側部のそれぞれに、ロッド挿通部と、その奥側に連通して前記抜止め部材の嵌込み空間とからなるロッドの連結部を形成し、
前記抜止め部材が前記嵌込み空間に嵌合し、前記ロッドが前記ロッド挿通部を挿通するように前記ロッド連結部の上部、下部及び左右側部のそれぞれにロッドを連結し、
前記各ロッドが前記ロッド挿通部との遊間内で面内方向に揺動可能となっていることを特徴とするカーテンウォールにおけるロッド連結構造。
【請求項２】
前記ロッド挿通部と前記嵌込み空間との境界部に前記抜止め部材の曲面に摺動する曲面状の座面を形成し、前記抜止め部材の曲面の反対側と前記嵌込み空間の底面との間に遊間が形成されている請求項１記載のカーテンウォールにおけるロッド連結構造。
【発明の詳細な説明】
【技術分野】
【０００１】
本発明は、ビル等の外壁部分において、板ガラスなどのパネルを直接的に支持するカーテンウォール構造に係り、詳しくはフレーム枠状のパネル支持部材を有さず、パネルの四隅等を直接支持するパネル支持装置により、外観的にパネルのみによって外壁面を構成するようにするとともに、該パネル支持装置は、上下方向に隣接するパネル支持装置同士を連結する吊りロッド及び／又は水平方向に隣接するパネル支持装置同士を連結するタイロッドにより相互に連結されたカーテンウォールにおける前記ロッドの連結構造に関する。
【背景技術】
【０００２】
近年は、カーテンウォール構造の多様化によって、フレーム枠状のパネル支持材を有さず、パネル（主として板ガラス）の４隅、または４隅及び側縁の一部を直接支持することによりパネルのみによって外壁面を構成するフレームレス工法が普及しつつある。フレームレス工法のパネル支持構造としては、従来より種々の構造が提案されている。
【０００３】
近時では例えば、下記特許文献１には、図１０に示されるように、各パネルＰ、Ｐ…の縦目地に対応する室内側に、パネルのコーナー交点部に配置されるパネル支持装置６０，６０…と、これら各パネル支持装置６０，６０…から室内側に向けて斜め上方及び斜め下方に延びる斜材６４，６４…と、前記斜材６４，６４の連結部に配置される室内側斜材連結金物６１，６１…と、前記パネル支持装置６０，６０…に挿通状態で配置され、各パネル支持装置６０，６０…を吊持する室外側ケーブル６５と、前記各室内側斜材連結金物６１，６１…に挿通状態で配置されるとともに、各室内側斜材連結金物６１，６１…を吊持する室内側ケーブル６６とからなるカーテンウォール支持装置がそれぞれ設けられ、各パネルＰ、Ｐ…が支持されたカーテンウォール構造が開示されている。なお、前記室外側ケーブル６５及び室内側ケーブル６６は、上下端がそれぞれケーブル定着装置６７，６８（下端側のみ図示）に固定されており、所定の緊張力が導入されるようになっているとともに、前記パネル支持装置６０，６０同士はタイロッドにより相互に連結されている（以下、先行例１という）。
【特許文献１】特開２００６−２８３４７８号公報
【発明の開示】
【発明が解決しようとする課題】
【０００４】
しかしながら、地震荷重などを受けた際に、パネルの相関変位に伴い、前記パネル支持装置６０がロッキング（揺動）や相対的な位置ズレを起こすと、剛結されているタイロッドに曲げが導入され、タイロッドが変形したり、破損することが懸念されるなどの問題があった。
【０００５】
そこで本発明の主たる課題は、建物外壁部分に上下左右方向に隣接配置されるパネルを、該パネルの隅部同士が突き合わされるコーナー交点部に配置されるパネル支持装置によって支持するとともに、前記パネル支持装置は、上下方向に隣接するパネル支持装置同士を連結する吊りロッド及び水平方向に隣接するパネル支持装置同士を連結するタイロッドにより相互に連結されたカーテンウォールにおいて、地震荷重を受けた際にも、前記ロッドに曲げを導入させることが無いロッド連結構造を提供することにある。
【課題を解決するための手段】
【０００６】
前記課題を解決するために請求項１に係る本発明として、建物外壁部分に上下左右方向に隣接配置されるパネルを、該パネルの隅部同士が突き合わされるコーナー交点部に配置されるパネル支持装置によって支持するとともに、前記パネル支持装置は、上下方向に隣接するパネル支持装置同士を連結する吊りロッド及び水平方向に隣接するパネル支持装置同士を連結するタイロッドにより相互に連結されたカーテンウォールにおいて、
前記ロッドの端部に、ロッド側の面にパネル面に沿う方向に沿って曲面を形成した抜止め部材を設け、
前記パネル支持装置は、室外側のパネル支持部と、室内側のロッド連結部とが結合部によって一体的に接続された部材とされ、前記ロッド連結部に対して、上部、下部及び左右側部のそれぞれに、ロッド挿通部と、その奥側に連通して前記抜止め部材の嵌込み空間とからなるロッドの連結部を形成し、
前記抜止め部材が前記嵌込み空間に嵌合し、前記ロッドが前記ロッド挿通部を挿通するように前記ロッド連結部の上部、下部及び左右側部のそれぞれにロッドを連結し、
前記各ロッドが前記ロッド挿通部との遊間内で面内方向に揺動可能となっていることを特徴とするカーテンウォールにおけるロッド連結構造が提供される。
【０００７】
上記請求項１記載の本発明においては、ロッドとパネル支持装置との連結構造を従来のような螺合連結構造を採用するのではなく、ロッドの端部に、ロッド側の面にパネル面に沿う方向に沿って曲面を形成した抜止め部材を設け、前記パネル支持装置は、室外側のパネル支持部と、室内側のロッド連結部とを備えており、かつ前記ロッド連結部に対して、その上部、下部及び左右側部のそれぞれに、ロッド挿通部と、その奥側に連通して前記抜止め部材の嵌込み空間とからなるロッドの連結部を形成し、前記抜止め部材が前記嵌込み空間に嵌合し、前記ロッドが前記ロッド挿通部を挿通するように前記ロッド連結部の上部、下部及び左右側部のそれぞれにロッドを連結し、前記各ロッドが前記ロッド挿通部との遊間内で面内方向に揺動可能となっているため、地震荷重を受けた際にも、前記ロッドと前記ロッド挿通部との間に遊間内でロッドが揺動し、ロッドに曲げを導入させることが無い。
【０００８】
なお、前記ロッド挿通部とロッドとの間に面外方向の遊間を形成するようにすれば、仮にパネル支持装置同士が面外方向に位置ズレしたとしても、ロッドに曲げが導入されないようにすることができる。
【０００９】
請求項２に係る本発明として、前記ロッド挿通部と前記嵌込み空間との境界部に前記抜止め部材の曲面に摺動する曲面状の座面を形成し、前記抜止め部材の曲面の反対側と前記嵌込み空間の底面との間に遊間が形成されている請求項１記載のカーテンウォールにおけるロッド連結構造が提供される。
【００１０】
上記請求項２記載の発明は、前記ロッド挿通部と前記嵌込み空間との境界部に前記抜止め部材の曲面に摺動する曲面状の座面を形成することにより、ロッドの揺動動作を円滑に行うことができる。前記嵌込み空間内において、該嵌込み空間の底面と抜止め部材との間に遊間を形成することにより、ロッドが熱膨張によって伸長した場合にも、この熱伸びを吸収することができる。
【発明の効果】
【００１１】
以上詳説のとおり本発明によれば、建物外壁部分に上下左右方向に隣接配置されるパネルを、該パネルの隅部同士が突き合わされるコーナー交点部に配置されるパネル支持装置によって支持するとともに、前記パネル支持装置は、上下方向に隣接するパネル支持装置同士を連結する吊りロッド及び水平方向に隣接するパネル支持装置同士を連結するタイロッドにより相互に連結されたカーテンウォールにおいて、地震荷重を受けた際にも、前記ロッドに曲げを導入させることが無い構造とすることができる。
【発明を実施するための最良の形態】
【００１２】
以下、本発明の実施の形態について図面を参照しながら詳述する。
〔カーテンウォール構造〕
図１はカーテンウォールの姿図、図２は図１のII−II線矢視図、図３は図１のIII−III線矢視図、図４はパネル支持装置２部分の分解図、図５は要部拡大縦断図、図６はその横断面図である。
【００１３】
図１に示されるように、本カーテンウォール構造１は、ビル等の外壁面において、上下左右方向に隣接配置される板ガラス等のパネルＰ、Ｐ…がフレーム枠状のパネル支持部材を用いることなく、各パネルＰ、Ｐ…が、各隅部が突き合わされるコーナー交点部に配置されたパネル支持装置２，２…によって支持されることにより、実質的にパネルＰ、Ｐ…のみによって外壁を構成するようにしたものであって、前記パネル支持装置２は、方立３に対してストラット４により連結され、図４に示されるように、上下方向に隣接するパネル支持装置２，２…同士が吊りロッド５，５により相互に連結されるとともに、水平方向に隣接するパネル支持装置２，２…同士も互いにタイロッド６，６により相互に連結されているものである。また、本カーテンウォール構造は、方立３部位にもパネルＰＳ、ＰＳ…が配置されたダブルスキン構造のカーテンウォールとなっている。
【００１４】
以下、具体的に前記カーテンウォール構造１について詳述すると、
詳細には、図４〜図６に示されるように、本カーテンウォール構造１においては、各パネルＰ、Ｐ…の縦目地に対応する室内側には、方立３が縦方向に沿って配設され、各パネルＰ、Ｐ…のコーナー交点部に対応する位置において、前記方立３の室外側に対して、ストラット４の一端側（室内側）が連結され、前記ストラット４の他端側（室外側）にパネル支持装置２が連結されている。また、上下方向に隣接するパネル支持装置２，２…同士が吊りロッド５，５により相互に連結されるとともに、水平方向に隣接するパネル支持装置２，２…同士も互いにタイロッド６，６により相互に連結されている。
【００１５】
前記方立３は、バックマリオン方式とされ、矩形中空部３ａの室外側面に部材長手方向に沿って縦リブ３ｂが形成されるとともに、前記縦リブ３ｂの室外側に押縁３ｃが形成され、更にこの押縁３ｃの室外側にストラット４を連結するための連結リブ３ｄが形成されている。そして、前記矩形中空部３ａの室外側面と、縦リブ３ｂと、押縁３ｃとで形成されるパネル嵌合溝Ｍによって後側パネルＰＳ、ＰＳが支持されるようになっている。
【００１６】
前記ストラット４を方立３に連結するための固定金具１０は、室内側に前記連結リブ３ｄが挿入される縦溝１０ａが形成されるとともに、室外側に軸連結部１０ｂが形成された部材であり、前記連結リブ３ｄを挿入した状態で側面からボルト１１を貫通させナットにより締結するようにしている。前記ストラット４の端部には、ストラット端面に形成されたネジ孔に対する螺合部１２ａを有するとともに、前記軸連結部１０ｂに対して水平軸回りに回転自在に軸支されるピン結合部１２ｂを有する連結金具１２が設けられ、前記螺合部１２ａの螺入量の調整によりストラット長さが調整可能となっている。
【００１７】
前記パネル支持装置２は、室外側のパネル支持部１３と、室内側のロッド連結部１４とが結合部１５によって一体的に接続された部材である。前記パネル支持部１３は、図４に示されるように、パネル背面側支持板１３ａと、パネル前面側支持板１３ｂとからなり、前記パネル背面側支持板１３ａの前面にはパネル載置台１３ｃが設けられ、上段両側に配置されるパネルＰ、Ｐの下端部を載置させるとともに、下段両側に配置されるパネルＰ、Ｐの上端部を前記パネル載置台１３ｃの下側に位置決めした状態で、前記パネル前面側支持板１３ｂをパネル背面側支持板１３ａの室外側にあてがい、ボルト１６により前記パネル前面側支持板１３ｂを固定し、各パネルＰ、Ｐ…の各コーナー部を挟持するようになっている。なお、パネルＰと前記パネル背面側支持板１３ａ、パネル前面側支持板１３ｂとの間、及び前記パネル載置台の上面にはゴムパッキンが介在されている。また、各パネル間の目地にはシールが充填される。
【００１８】
前記ロッド連結部１４は、詳細には図７に示されるように、所定の厚みを有する略円板形状の連結本体部１６の背面側にストラット連結軸１７を有する部材であり、前記連結本体部１６の前面側には被覆板２１を一体的に備えるとともに、後側には、前記ストラット連結軸１７が挿通される通孔を有する後面カバー材１８が着脱可能に設けられている。
【００１９】
前記連結本体部１６には、上部、下部及び左右両側部のそれぞれに、ロッド挿通部１６ａと、その奥側に連通して設けられた後述の抜止め部材２０の嵌込み空間１６ｂとからなるロッド５，６の連結部が設けられている。なお、前記ロッド挿通部１６ａ及び嵌込み空間１６ｂは、連結本体部１６の厚み方向全幅に亘って設けられている。
【００２０】
一方、図８に示されるように、上段側吊りロッド５の下端及び下段側吊りロッド５の上端にはそれぞれ、ロッド側の面に面内方向（パネル面に沿う方向）に沿って曲面２０ａを形成した抜止め部材２０を設けるとともに、タイロッド６，６の端部にも同様に、ロッド側の面に面内方向に沿って曲面２０ａを形成した抜止め部材２０を設けている。本例では、前記抜止め部材２０はロッド５，６に対して螺合連結により設けられている。また、吊りロッド５の上部には、カップラー接続具１９を介することにより長さ調整が可能となっている。
【００２１】
図９に示されるように、前記抜止め部材２０が前記連結本体部１６の嵌込み空間１６ｂに嵌合された状態では、ロッド５，６とロッド挿通部１６ａとの遊間δ、δが形成され、この遊間２δ内で前記ロッド５，６が面内方向に揺動可能となっている。
【００２２】
図示されるように、前記ロッド挿通部１６ａと嵌込み空間１６ｂとの境界部に前記抜止め部材２０の曲面２０ａと摺動する曲面状の座面１６ｃを形成し、前記ロッド５，６の揺動動作が円滑に行われるようにしてある。
【００２３】
更に、前記嵌込み空間１６ｂ内において、前記抜止め部材２０と、嵌込み空間の底面との間には若干の遊間ｋを形成するようにしている。その結果、熱膨張によってタイロッド６、６が伸長した場合には、前記抜止め部材２０が嵌込み空間１６ｂ内で若干スライド可能となっていることにより、伸びを吸収し座屈を防止するようになっている。
【図面の簡単な説明】
【００２４】
【図１】カーテンウォールの室外側からの姿図である。
【図２】図１のII−II線矢視図である。
【図３】図１のIII−III線矢視図である。
【図４】パネル支持装置２部分の分解図である。
【図５】パネル支持装置２部分の要部拡大縦断面図である。
【図６】パネル支持装置２部分の要部拡大横断面図である。
【図７】ロッド連結部１４の分解斜視図である。
【図８】ロッド５，６の端部に設けられた抜止め部材２０を示す斜視図である。
【図９】ロッド５，６と連結本体部１６との連結状体を示す正面図である。
【図１０】従来のフレームレス工法によるパネル支持構造を示す側面図である。
【符号の説明】
【００２５】
１…カーテンウォール、２…パネル支持装置、３…方立、４…ストラット、５…吊りロッド、６…タイロッド、１０…固定金具、１２…連結金具、１３…パネル支持部、１４…ロッド連結部、１５…結合部、１６…連結本体部、１６ａ…ロッド挿通部、１６ｂ…嵌込み空間、１６ｃ…曲面状座面、１７…ストラット連結軸、２１…被覆板、１８…後面カバー材、２０…抜止め部材、２０ａ…曲面、Ｐ…パネル
【図１】
0005371256.tif 000002
【図２】
0005371256.tif 000003
【図３】
0005371256.tif 000004
【図４】
0005371256.tif 000005
【図５】
0005371256.tif 000006
【図６】
0005371256.tif 000007
【図７】
0005371256.tif 000008
【図８】
0005371256.tif 000009
【図９】
0005371256.tif 000010
【図１０】
0005371256.tif 000011